(57)【要約】【課題】建物内の異常が発生したコンセントをパソコンの地図画面上で遠隔監視可能な、遠隔監視防災システムを提供する。【解決手段】開示される遠隔監視防災システムは、PLC親モデム１０の温度センサ１２がコンセント１１の温度を測定しトラッキング制御部１３が温度の正常／異常を検出してネットワーク制御部１４が電源ケーブル３０経由でPLC子モデム２０に送り、PLC子モデム２０の温度センサ２２がコンセント２１の温度を測定しトラッキング制御部２３が温度の正常／異常を検出してネットワーク制御部２４がPLC親モデム１０の正常／異常とともに、ホームサーバ６０のデータテーブルに建物内の地図情報とともに保存する。パソコン８０がインターネット７０経由でアクセスすると、PLC子モデムのネットワーク制御手段がデータテーブルをPLC親モデム経由で送るので、パソコン画面の地図上に各コンセントに接続された電気機器の温度の正常／異常が表示される。【選択図】図１
2008301664.tif 000002
【特許請求の範囲】
【請求項１】
ＰＬＣ（Programable Logic Controller；以下省略）親モデムにおいて、一または複数のコンセントの温度を対応する温度センサによって測定し、トラッキング検出手段によって各温度センサの温度情報を基に各コンセントの温度の正常／異常をトラッキング監視した情報をネットワーク制御手段がＰＬＣ子モデムに送り、ＰＬＣ子モデムにおいて、一または複数のコンセントの温度を対応する温度センサによって測定し、トラッキング検出手段によって各温度センサの温度情報を基に各コンセントの温度の正常／異常をトラッキング監視した情報を、ネットワーク制御手段が前記ＰＬＣ親モデムからの情報とともにホームサーバに送って建物内の地図情報とともにデータテーブルとして保存し、
パソコンから、インターネット経由で前記ホームサーバにアクセスしたとき、ＰＬＣ子モデムのネットワーク制御手段がホームサーバに保存されている前記データテーブルをＰＬＣ親モデムに送り、ＰＬＣ親モデムのネットワーク制御手段が前記データテーブルをインターネット経由でパソコンに送ることによって、パソコン画面の地図図面上に、前記各コンセントに接続された電気機器の温度の正常／異常を表示することを特徴とする遠隔監視防災システム。
【請求項２】
請求項１記載の遠隔監視防災システムにおいて、ＰＬＣ親モデムとＰＬＣ子モデムとに、前記各コンセントごとにその電流を測定する電流センサを備え、トラッキング検出手段によって各電流センサの電流情報を基に各コンセントに接続された電気機器の使用／未使用をトラッキング監視した情報をホームサーバに送ってデータテーブルとして保存することによって、
パソコン画面の地図図面上に、前記各コンセントに接続された電気機器の温度の正常／異常とともに、各電気機器の使用／未使用を表示することを特徴とする遠隔監視防災システム。
【請求項３】
前記ＰＬＣ子モデムと前記ホームサーバとが宅内ネットワークを介して接続されていることを特徴とする請求項１または２記載の遠隔監視防災システム。
【請求項４】
前記ＰＬＣ親モデムとインターネットとがＬＡＮ（Local Area Network；以下省略）を介して接続されていることを特徴とする請求項１乃至３のいずれか一記載の遠隔監視防災システム。
【請求項５】
前記パソコンとインターネットとがＬＡＮを介して接続されていることを特徴とする請求項１乃至４のいずれか一記載の遠隔監視防災システム。
【請求項６】
前記ＰＬＣ親モデムとＰＬＣ子モデムとが、それぞれに電源を供給する電源ケーブルを経てパケット通信によって相互に接続されていることを特徴とする請求項１乃至５のいずれか一記載の遠隔監視防災システム。
【請求項７】
前記各電気機器が、前記コンセントに挿入された電気機器電源プラグを介して接続されていることを特徴とする請求項１乃至６のいずれか一記載の遠隔監視防災システム。
【請求項８】
前記パソコンが、前記ホームサーバに保存されていたデータテーブルにおけるＰＬＣ親モデムとＰＬＣ子モデムの建物内の地図上の位置を示す座標情報を画面の座標情報に変換して、建物内の地図情報を地図画面として表示することを特徴とする請求項１乃至７のいずれか一記載の遠隔監視防災システム。
【発明の詳細な説明】
【技術分野】
【０００１】
この発明は、地図上において建物内のどのコンセントに異常が発生したかを遠隔監視できるようにした、遠隔監視防災システムに関する。
【背景技術】
【０００２】
建物内における火災等の発生を遠隔監視するための、建物の防災を目的とした遠隔監視防災システムは、従来から知られている。
図５は、従来の遠隔監視防災システムの構成の一例を示したものである。図５において、ＰＬＣ（Programable Logic Controller) モデム５０は、内蔵するプログラムに応じて、その論理動作内容を変更できる機能を有している。コンセント５１は、図示されない各種電気機器の電源プラグ（不図示）を挿入して接続する機能を有している。なお、コンセント５１と電流センサ５５とは一または複数組具備されていて、それぞれのコンセントに接続された電源プラグにおける電流値を分離して検出できるものとする。
【０００３】
トラッキング検出部５３は、それぞれの電流センサで検出された電流値を追跡（トラッキング）することによって、対応するコンセントに接続された電源プラグにおける電流値を分離して検出する。ネットワーク制御部５４は、ＰＬＣモデム５０とインターネット７０との、ネットワーク接続の制御を行う。電流センサ５５は、電源ケーブル３０からコンセント５１を経て電気機器の電源プラグに流れる電流値を検出する。電源ケーブル３０は、例えば商用電源に接続されていて、各コンセント５１に電源を供給する。インターネット７０は、ＬＡＮ（Local Area Network) を介してＰＬＣモデム５０とパソコン８０との間の通信を可能にする。パソコン（Personal Computer:ＰＣ）８０は、ＰＬＣモデム５０における各電流センサ５５で検出された電流値を例えば画面上に表示する機能を有している。
【０００４】
図５に示された従来の遠隔監視防災システムによれば、各コンセントの電流値をインターネット経由でパソコンの画面上に表示することができる。しかしながら、従来の遠隔監視システムの場合は、個々のコンセントの電流値を個別に把握することができるだけであって、複数のコンセントが設置されている建物内のどこで異常が発生しているのかを把握することは困難であり、従って従来の遠隔監視防災システムの場合、効果的な防災活動を行うことはできなかった。
【０００５】
これに対して特許文献１においては、一方及び他方の導体に商用電源が接続されたコンセントと、コンセントに内蔵されコンセントの温度を検出する温度センサと、コンセントの一方の導体に設けられた回路電源用トランスと、回路電源用トランスに入力された商用電源を整流するダイオードブリッジと、ダイオードブリッジから電源＋Ｂを供給され、温度センサが動作したとき警報を発報する警報用回路とを備えた、コンセント発熱警報器が開示されている。
【０００６】
このように、特許文献１記載の技術によれば、コンセントとプラグの間の接触抵抗による発熱で高温になったとき、確実に警報を発報することができる旨が記載されている。
しかしながら、特許文献１においては、各コンセントに接続されている電気機器の正常／異常の状態、または、各コンセントに接続されている電気機器の正常／異常の状態と各コンセントに接続されている電気機器の使用／未使用の状態を、建物内の地図上で監視可能にすることについてはなんら記載されていない。
【０００７】
また、特許文献２においては、１乃至複数のコンセント装置と、インターネットを介してパソコンに情報提供を行うゲートウェイ装置とからなり、コンセント装置に電流センサ部を備えて、コンセント装置のマイコンおよびゲートウェイ装置のＣＰＵのそれぞれに電力線を用いた電力線搬送通信を行わせるとともに、ＣＰＵに電流センサ部の検知結果からコンセント装置に接続する電力消費機器の電源オン／電源オフの状態を判断させ、状態データをパソコンに提供させることによって、電力消費機器のメーカーや種類に関わりなく、パソコンを用いて遠隔から電力消費機器の電源オン／電源オフの状態を監視することができる、遠隔監視システムが開示されている。
【０００８】
このように、特許文献２記載の技術によれば、特定の電力消費機器に限定することなく遠隔から電力消費機器の動作状態が監視可能な、遠隔監視システムが提供される旨が記載されている。
しかしながら、特許文献２においては、各コンセントに接続されている電気機器の正常／異常の状態、または、各コンセントに接続されている電気機器の正常／異常の状態と各コンセントに接続されている電気機器の使用／未使用の状態を、建物内の地図上で監視可能にすることについてはなんら記載されていない。
【０００９】
また、特許文献３においては、電力線通信ルータはＬＡＮスイッチ機能付きコンセントを介して端末と接続され、電力線通信ルータはＬＡＮスイッチ機能付きコンセントに、ＩＰアドレスの範囲が重複しないように各端末へのＩＰアドレスを発行し、ＬＡＮスイッチ機能付きコンセントは、発行されたＩＰアドレスを一つの端末に対して一つ付与し、また、電力線通信ルータは、ＩＰパケットのネットワーク間のルーティング機能を備え、また、ＬＡＮスイッチ機能付きコンセントは、ＩＰパケットのスイッチング機能を備え、電力線通信機能付きＵＰＳは、端末に電力と情報信号を別々に提供し、また無停電電源としても機能する、電力線通信システムにおける電力線通信機能付き無停電電源装置及び電力供給方法が開示されている。
【００１０】
このように、特許文献３記載の技術によれば、事務所フロアにおける配線システムを構築する際に便利な、電力線通信システムにおける電力線通信機能付き無停電電源装置及び電力供給方法が提供される旨が記載されている。
しかしながら、特許文献３においては、各コンセントに接続されている電気機器の正常／異常の状態、または、各コンセントに接続されている電気機器の正常／異常の状態と各コンセントに接続されている電気機器の使用／未使用の状態を、建物内の地図上で監視可能にすることについてはなんら記載されていない。
【００１１】
また、特許文献４においては、電力線には複数の端末装置と、インターネットを介してセンター装置との間で通信を行うゲートウェイとが接続され、ゲートウェイと各端末装置との間では電力線搬送通信により通信が行われ、位置情報検出装置は現在地の位置情報を検出し、その検出結果を無線通信により送信し、各端末装置は、その設置位置付近に移動させられた位置情報検出装置から無線信号で送信された位置情報を受信すると、受信した位置情報を自己の設置位置情報とし、設置位置情報及びＩＤ情報を含む属性情報を位置情報メッセージとしてゲートウェイを経由し、センター装置に送信する、電力線搬送通信システム及びそれに用いる端末装置の属性情報設定方法が開示されている。
【００１２】
このように、特許文献４記載の技術によれば、屋外に設置された端末装置の設置位置情報を含む属性情報を容易に設定できる、電力線搬送通信システム及びそれに用いる端末装置の属性情報設定方法が提供される旨が記載されている。
しかしながら、特許文献４においては、各コンセントに接続されている電気機器の正常／異常の状態、または、各コンセントに接続されている電気機器の正常／異常の状態と各コンセントに接続されている電気機器の使用／未使用の状態を、建物内の地図上で監視可能にすることについてはなんら記載されていない。
【００１３】
また、特許文献５においては、ネットワークを介して相互に接続されるホームサーバと、アダプタ装置とを含み、アダプタ装置は、予め定められた少なくとも一つの機能を提供するアダプタ装置であって、当該機能に係る機能関係情報をホームサーバとの間で送信又は受信し、機能を特定する機能特定情報と、機能関係情報の送信又は受信の方式を表すアクセス方式情報とを含むアダプタ関連情報を、ホームサーバに対して出力する、情報提供システム及びアダプ装置が開示されている。
【００１４】
このように、特許文献５記載の技術によれば、設定操作を簡易にして利便性を向上できる、情報提供システム及びアダプ装置が提供される旨が記載されている。
しかしながら、特許文献５においては、各コンセントに接続されている電気機器の正常／異常の状態、または、各コンセントに接続されている電気機器の正常／異常の状態と各コンセントに接続されている電気機器の使用／未使用の状態を、建物内の地図上で監視可能にすることについてはなんら記載されていない。
【００１５】
また、特許文献６においては、ホームサーバーがネットワークにおけるホーム機器の位置を認識できるシステムであって、ホーム機器は、自分の情報を保存しているＲＦＩＤタグを含み、ホームネットワークを構成する各コンセントは、ＲＦＩＤリーダーを備え、これによって、ＲＦＩＤリーダーがリアルタイムでＲＦＩＤタグの位置をチェックし、ＲＦＩＤタグに関する情報とコンセント識別子をホームサーバーに伝送し、ホームサーバーは、受け取った情報を用いてリアルタイムでホーム機器の位置を認識し、ホーム機器に必要な情報を伝送する、電子タグを用いたホーム機器の位置認識装置及び方法が開示されている。
【００１６】
このように、特許文献６記載の技術によれば、ホームネットワークを構成しているホーム機器の位置を、ホームサーバーがリアルタイムで認知できる方案が提供される旨が記載されている。
しかしながら、特許文献６においては、各コンセントに接続されている電気機器の正常／異常の状態、または、各コンセントに接続されている電気機器の正常／異常の状態と各コンセントに接続されている電気機器の使用／未使用の状態を、建物内の地図上で監視可能にすることについてはなんら記載されていない。
【特許文献１】登録実用新案第３０１２９３８号公報（図１，〔０００６〕，〔００１３〕）
【特許文献２】特開２００２−３１５２３４号公報（図１，〔００２０〕，〔００２４〕、図４，〔００３７〕，〔００３８〕）
【特許文献３】特開２００３−１５２７６４号公報（図１，〔００１１〕，〔００１４〕、図２，〔００２０〕、図３，〔００２４〕）
【特許文献４】特開２００４−０６４３５５号公報（図５，〔００２９〕）
【特許文献５】特開２００６−１２７３３０号公報（図１，〔００１２〕）
【特許文献６】特開２００６−２２８２２５号公報（〔００２２〕〜〔００２４〕，〔表１〕）
【発明の開示】
【発明が解決しようとする課題】
【００１７】
従来の遠隔監視防災システムでは、次のような各種の課題があった。
(1).各コンセントの状況を個別にインターネット経由で把握することはできるが、異常の発生を検知されたコンセントが、建物の地図上のどこに設置されているのかを認識することができないため、効果的な防災活動を行うことが困難である。
(2).各コンセントに電流センサを実装しているので、各コンセントに接続されている電気機器の使用／未使用の状態を検知することはできるが、温度センサを実装していないため、コンセントに接続されている電気機器の正常／異常の状態を検知することができない。
【００１８】
この発明は上述の事情に鑑みてなされたものであって、遠隔監視防災システムにおいて、各コンセントに温度センサを実装することによって、コンセントに接続されている電気機器の正常／異常の状態を、建物内の地図上で監視可能にして効果的な防災活動を行うことができるようし、また、さらに各コンセントに温度センサとともに電流センサを実装することによって、コンセントに接続されている電気機器の正常／異常の状態と、各コンセントに接続されている電気機器の使用／未使用の状態とを、建物内の地図上で監視可能にすることによって、より効果的な防災活動を行うことができるようにすることを目的としている。
【課題を解決するための手段】
【００１９】
上記課題を解決するため、請求項１記載の発明は遠隔監視防災システムに係り、ＰＬＣ（Programable Logic Controller；以下省略）親モデムにおいて、一または複数のコンセントの温度を対応する温度センサによって測定し、トラッキング検出手段によって各温度センサの温度情報を基に各コンセントの温度の正常／異常をトラッキング監視した情報をネットワーク制御手段がＰＬＣ子モデムに送り、ＰＬＣ子モデムにおいて、一または複数のコンセントの温度を対応する温度センサによって測定し、トラッキング検出手段によって各温度センサの温度情報を基に各コンセントの温度の正常／異常をトラッキング監視した情報を、ネットワーク制御手段が上記ＰＬＣ親モデムからの情報とともにホームサーバに送って建物内の地図情報とともにデータテーブルとして保存し、パソコンから、インターネット経由で上記ホームサーバにアクセスしたとき、ＰＬＣ子モデムのネットワーク制御手段がホームサーバに保存されている上記データテーブルをＰＬＣ親モデムに送り、ＰＬＣ親モデムのネットワーク制御手段が上記データテーブルをインターネット経由でパソコンに送ることによって、パソコン画面の地図図面上に、上記各コンセントに接続された電気機器の温度の正常／異常を表示することを特徴としている。
【００２０】
また、請求項２記載の発明は、請求項１記載の遠隔監視防災システムにおいて、ＰＬＣ親モデムとＰＬＣ子モデムとに、上記各コンセントごとにその電流を測定する電流センサを備え、トラッキング検出手段によって各電流センサの電流情報を基に各コンセントに接続された電気機器の使用／未使用をトラッキング監視した情報をホームサーバに送ってデータテーブルとして保存することによって、パソコン画面の地図図面上に、上記各コンセントに接続された電気機器の温度の正常／異常とともに、各電気機器の使用／未使用を表示することを特徴としている。
【００２１】
また、請求項３記載の発明は、請求項１または２記載の遠隔監視防災システムに係り、上記ＰＬＣ子モデムと上記ホームサーバとが宅内ネットワークを介して接続されていることを特徴としている。
【００２２】
また、請求項４記載の発明は、請求項１乃至３のいずれか一記載の遠隔監視防災システムに係り、上記ＰＬＣ親モデムとインターネットとがＬＡＮ（Local Area Network；以下省略）を介して接続されていることを特徴としている。
【００２３】
また、請求項５記載の発明は、請求項１乃至４のいずれか一記載の遠隔監視防災システムに係り、上記パソコンとインターネットとがＬＡＮを介して接続されていることを特徴としている。
【００２４】
また、請求項６記載の発明は、請求項１乃至５のいずれか一記載の遠隔監視防災システムに係り、上記ＰＬＣ親モデムとＰＬＣ子モデムとが、それぞれに電源を供給する電源ケーブルを経てパケット通信によって相互に接続されていることを特徴としている。
【００２５】
また、請求項７記載の発明は、請求項１乃至６のいずれか一記載の遠隔監視防災システムに係り、上記各電気機器が、上記コンセントに挿入された電気機器電源プラグを介して接続されていることを特徴としている。
【００２６】
また、請求項８記載の発明は、請求項１乃至７のいずれか一記載の遠隔監視防災システムに係り、上記パソコンが、上記ホームサーバに保存されていたデータテーブルにおけるＰＬＣ親モデムとＰＬＣ子モデムの建物内の地図上の位置を示す座標情報を画面の座標情報に変換して、建物内の地図情報を地図画面として表示することを特徴としている。
【発明の効果】
【００２７】
本発明の遠隔監視防災システムによれば、次のような各種の効果を得ることができる。(1).各コンセントに温度センサを実装することによって、コンセントに接続されている電気機器の正常／異常の状態を建物の地図上において監視することができ、効果的な防災活動を行うことが可能になる。
(2).各コンセントに温度センサとともに電流センサを実装することによって、コンセントに接続されている電気機器の正常／異常の状態と、各コンセントに接続されている電気機器の使用／未使用の状態とを建物の地図上において監視することができ、より効果的な防災活動を行うことが可能になる。
【発明を実施するための最良の形態】
【００２８】
この発明の遠隔監視防災システムは、ＰＬＣ（Programable Logic Controller；以下省略）親モデムにおいて、複数のコンセントの温度を対応する温度センサによって測定し、トラッキング検出部によって各温度センサの温度情報を基に各コンセントの温度の正常／異常をトラッキング監視した情報をネットワーク制御部がＰＬＣ子モデムに送り、ＰＬＣ子モデムにおいて、複数のコンセントの温度を対応する温度センサによって測定し、トラッキング検出部によって各温度センサの温度情報を基に各コンセントの温度の正常／異常をトラッキング監視した情報を、ネットワーク制御部がＰＬＣ親モデムからの情報とともにホームサーバに送って建物内の地図情報とともにデータテーブルとして保存し、パソコンから、インターネット経由でホームサーバにアクセスしたとき、ＰＬＣ子モデムのネットワーク制御部がホームサーバに保存されているデータテーブルをＰＬＣ親モデムに送り、ＰＬＣ親モデムのネットワーク制御部がデータテーブルをインターネット経由でパソコンに送ることによって、パソコン画面の地図図面上に、各コンセントに接続された電気機器の温度の正常／異常を表示するように構成されている。
【実施例１】
【００２９】
図１は、本発明の第１実施例である遠隔監視防災システムの構成を示すブロック図、図２は、本実施例の遠隔監視防災システムにおける表示内容を示すデータテーブルである。
【００３０】
この例の遠隔監視防災システムは、図１に示すように、コンセント１１，温度センサ１２，トラッキング検出部１３，ネットワーク制御部１４を含むＰＬＣ親モデム１０と、コンセント２１，温度センサ２２，トラッキング検出部２３，ネットワーク制御部２４を含むＰＬＣ子モデム２０と、電源ケーブル３０と、電気機器電源プラグ４０と、ホームサーバ６０と、パソコン８０とから概略構成されている。
ＰＬＣ親モデム１０，ＰＬＣ子モデム２０，電源ケーブル３０およびホームサーバ６０は、同一宅内に置かれているものとする。パソコン８０は、同一宅内に限らず、遠隔地に置かれていてもよい。
【００３１】
ＰＬＣ親モデム１０において、コンセント１１は一または複数個設けられており、各温度センサ１２は、対応するコンセント１１の温度を測定する。トラッキング検出部１３は、各温度センサ１２で検出された温度情報を追跡して、各コンセント１１に挿入された電気機器電源プラグ４０に接続されている電気機器の温度情報を個別に検出するトラッキング監視を行うことによって、各接続機器の温度が正常であるか否かを検出する。
【００３２】
同様に、ＰＬＣ子モデム２０において、コンセント２１は一または複数個設けられており、各温度センサ２２は、対応するコンセント２１の温度を測定する。トラッキング検出部２３は、各温度センサ２２で検出された温度情報を追跡して、各コンセント２１に挿入された電気機器電源プラグ４０に接続されている電気機器の温度情報を個別に検出するトラッキング監視を行うことによって、各接続機器の温度の状態が正常であるか否かを検出する。
【００３３】
ホームサーバ６０には、予め建物内の地図情報が保存されている。さらに、ホームサーバ６０は、宅内ネットワークを介してＰＬＣ子モデム２０においてトラッキング検出部２３で検出された温度情報を保存するとともに、ＰＬＣ親モデム１０においてトラッキング検出部１３で検出されて、電源ケーブル３０を経て通信用パケットによって伝送された温度情報も保存する。
【００３４】
ＰＬＣ子モデム２０において、ネットワーク制御部２４は、宅内ネットワークを介してホームサーバ６０に対する温度情報の保存の制御を行うとともに、ホームサーバ６０に保存されている温度情報を、宅内の地図情報とともに、電源ケーブル３０を経て通信用パケットによって、ＰＬＣ親モデム１０に伝送する。
【００３５】
ＰＬＣ親モデム１０において、ネットワーク制御部１４は、ＬＡＮ（Local Area Network) を介してインターネット７０を経由してパソコン８０にアクセスして、ホームサーバ６０に保存されていたＰＬＣ子モデム２０とＰＬＣ親モデム１０の温度情報を、宅内の地図情報とともに、パソコン８０の画面上に表示するように制御する。なお、ＬＡＮは通常はプロバイダ（Provider) を仲介してインターネット７０と接続されるが、周知の事項なので記載を省略している。
【００３６】
これによってユーザは、パソコン８０の画面上において、建物内の地図図面上に表示された、ＰＬＣ親モデム１０の各コンセント１１、およびＰＬＣ子モデム２０の各コンセント２１の温度情報を見ることができ、従って、各コンセント１１および２１に接続された各電気機器の温度情報が正常であるかまたは異常であるかを直ちに判断することができるようになる。
【００３７】
ホームサーバ６０に保存されているデータに基づいてパソコン８０の画面上に表示されるデータは、図２に示すデータテーブルの形式になっている。
図２に示すように、ホームサーバ６０内では、ＰＬＣ親モデム１０またはＰＬＣ子モデム２０のＩＰ（Internet Protcol) アドレスは、１０．２０．３０．１または１０．２０．３０．２である。また、ＰＬＣ親モデム１０またはＰＬＣ子モデム２０において、対象となるコンセントの地図図面上の位置を示す座標は、Ｘ１，Ｙ１，Ｚ１またはＸ２，Ｙ２，Ｚ２である。ＰＬＣ親モデム１０またはＰＬＣ子モデム２０に接続されている電気機器は、テレビまたは冷蔵庫である。そして、各接続機器に対応する温度情報のデータは、テレビは正常であり、冷蔵庫は異常であることが示されている。
【００３８】
以下、遠隔地におけるパソコン８０からホームサーバ６０上のデータを利用する方法を説明する。
パソコン８０から既知の技術であるＴＣＰ／ＩＰ（Transmission Control Protcol／Internet Protcol) プロトコルや、ＨＴＴＰ（Hyper Text Transfer Protcol)プロトコルを利用して、ホームサーバ６０に保存されているデータを参照する。
データ参照の要求を受けたホームサーバ６０は、まず、自身に保存されている地図情報を、パソコン８０へ送信し、これを受けとったパソコン８０は、受信した地図情報を基に、その画面上に建物の地図図面を表示する。
【００３９】
続いて、ホームサーバ６０は、図２に示されたデータテーブルに保存されているデータを、パソコン８０へ送信する。この情報を受け取ったパソコン８０は、ＰＬＣ親モデム１０およびＰＬＣ子モデム２０のそれぞれの、建物内の地図上の位置を示す座標情報を表示画面の座標情報に変換して、地図図面上の適切な位置に、ＰＬＣ親モデム１０およびＰＬＣ子モデム２０に関するＩＰアドレス情報，接続機器情報，及び正常／異常の情報を表示する。
以上の動作により、パソコン８０を使用することによって、建物内のどのコンセントに異常が発生したかを、遠隔の場所から容易に監視することができる。
【実施例２】
【００４０】
図３は、本発明の第２実施例である遠隔監視防災システムの構成を示すブロック図、図４は、本実施例の遠隔監視防災システムにおける表示内容を示すデータテーブルである。
【００４１】
この例の遠隔監視防災システムは、図３に示すように、ＰＬＣ親モデム１０Ａが電流センサ１５を有し、ＰＬＣ子モデム２０Ａが電流センサ２５を有する以外は、図１に示された第１実施例の場合とほぼ同様な概略構成からなっている。
電流センサ１５は、コンセント１１における電流値を測定する。同様に、電流センサ２５は、コンセント２１における電流値を測定する。
【００４２】
この例の遠隔監視防災システムは、基本的構成は第１実施例の場合とほぼ同様であるが、監視できる項目についてさらに工夫されている。
ＰＬＣ親モデム１０Ａにおいて、トラッキング検出部１３は、温度センサ１２で検出したコンセント１１の温度情報以外に、電流センサ１５で測定したコンセント１１の電流値についても検証する機能を有しており、コンセント１１における電流の有無によって、コンセント１１に接続された電気機器の使用／未使用を検出することができる。
トラッキング検出部１３で検出した、コンセント１１に接続されている電気機器の使用／未使用の情報は、ネットワーク制御部１４に送られて、電源ケーブル３０を経てＰＬＣ子モデム２０Ａへ送られ、さらにネットワーク制御部２４から宅内ネットワークを経て、ホームサーバ６０へ送られる。
【００４３】
同様に、ＰＬＣ子モデム２０Ａにおいて、トラッキング検出部２３は、温度センサ２２で検出したコンセント２１の温度情報以外に、電流センサ２５で測定した電流値についても検証する機能を有しており、コンセント２１における電流の有無によって、コンセント２１に接続されている電気機器の使用／未使用を検出することができる。
トラッキング検出部２３で検出したコンセント２１に接続されている電気機器の使用／未使用の情報は、ネットワーク制御部２４から宅内ネットワークを経て、ホームサーバ６０へ送られる。
【００４４】
ホームサーバ６０には、ＰＬＣ親モデム１０ＡおよびＰＬＣ子モデム２０Ａに関する建物内の地図上の位置を示す情報とともに、各モデムのコンセントの温度の正常または異常の情報と、各モデムのコンセントに接続されている電気機器の使用または未使用の情報を図４に示すデータテーブルの形式で保存する。
【００４５】
図４に示すように、ホームサーバ６０内では、ＰＬＣ親モデム１０ＡまたはＰＬＣ子モデム２０ＡのＩＰアドレスは、１０．２０．３０．１または１０．２０．３０．２である。また、ＰＬＣ親モデム１０ＡまたはＰＬＣ子モデム２０Ａにおいて、対象となるコンセントの地図図面上の位置を示す座標は、Ｘ１，Ｙ１，Ｚ１またはＸ２，Ｙ２，Ｚ２である。ＰＬＣ親モデム１０ＡまたはＰＬＣ子モデム２０Ａに接続されている電気機器は、テレビまたは冷蔵庫である。そして、これに対する温度情報のデータは、テレビは正常であり、冷蔵庫は異常である。また、接続機器の使用状況は、テレビは未使用であり、冷蔵庫は使用である。
【００４６】
遠隔地におけるパソコン８０からホームサーバ６０上のデータを利用する方法としては、第１実施例の場合と同様に操作することによって、パソコン８０の画面における建物の地図図面上に、各コンセントの正常／異常の情報とともに、各コンセントに接続されている電気機器の使用／未使用の情報も表示することができる。
【００４７】
以上、この発明の実施例を図面により詳述してきたが、具体的な構成はこの実施例に限られるものではなく、この発明の要旨を逸脱しない範囲の設計の変更等があってもこの発明に含まれる。例えば、パソコン８０は、パーソナルコンピュータに限るものでなく、同等乃至それ以上の論理演算処理機能を有するものであれば、どのようなコンピュータ装置であってもよい。
【産業上の利用可能性】
【００４８】
この発明は、複数箇所の監視を必要とする各種の防災装置において利用可能なものである。
【図面の簡単な説明】
【００４９】
【図１】本発明の第１実施例である遠隔監視防災システムの構成を示すブロック図である。
【図２】同実施例の遠隔監視防災システムにおける表示内容を示すデータテーブルである。
【図３】本発明の第２実施例である遠隔監視防災システムの構成を示すブロック図である。
【図４】同実施例の遠隔監視防災システムにおける表示内容を示すデータテーブルである。
【図５】従来の遠隔監視防災システムの構成の一例を示す図である。
【符号の説明】
【００５０】
１０，１０Ａ  ＰＬＣ親モデム
１１，２１  コンセント
１２，２２  温度センサ
１３，２３  トラッキング検出部（トラッキング検出手段）
１４，２４  ネットワーク制御部（ネットワーク制御手段）
１５，２５  電流センサ
２０，２０Ａ  ＰＬＣ子モデム
３０  電源ケーブル
４０  電気機器電源プラグ
６０  ホームサーバ
７０  インターネット
８０  パソコン
【図１】
2008301664.tif 000003
【図２】
2008301664.tif 000004
【図３】
2008301664.tif 000005
【図４】
2008301664.tif 000006
【図５】
2008301664.tif 000007